(57)【要約】【課題】子供がいたずらで不用意にアップスイッチを押圧し続けても安全性を確保することができる暖房器具の設定温度制御装置を提供する。【解決手段】設定温度が予め記憶された基準温度に到達しているか否かを判定する設定温度判定部と、アップスイッチなどのスイッチ類からの入力条件を判定する入力条件判定部と、設定温度判定部と入力条件判定部との判定結果に基づいて設定温度を変更する設定温度変更部とを備え、設定温度変更部は、設定温度が基準温度よりも高温側では、入力条件判定部に特別の条件が入力されたときにはじめてアップスイッチからのＯＮ信号を有効なものとして処理するので、子供がいたずらで不用意にアップスイッチを押圧し続けても、設定温度が基準温度以上に設定されるのを防止することができ、安全性を確保することができる。【選択図】  図６
2004271040.tif 000002
【特許請求の範囲】
【請求項１】
設定温度を上昇させるアップスイッチと、設定温度を降下させるダウンスイッチと、アップスイッチ及びダウンスイッチからの入力信号に応じて設定温度を変更する暖房器具の設定温度制御装置において、
設定温度が予め記憶された基準温度に到達しているか否かを判定する設定温度判定部と、前記アップスイッチなどのスイッチ類からの入力条件を判定する入力条件判定部と、前記設定温度判定部と入力条件判定部との判定結果に基づいて設定温度を変更する設定温度変更部とを備え、設定温度変更部は、基準温度よりも高温側では、入力条件判定部に特別の条件が入力されない限りアップスイッチからのＯＮ信号を無効なものとして処理することを特徴とする暖房器具の設定温度制御装置。
【請求項２】
前記設定温度変更部は、基準温度よりも高温側で、前記入力条件判定部に特別の条件が入力された後、基準温度よりも低温側でのアップスイッチからのＯＮ信号とは異なる条件の信号が入力されたときに、アップスイッチからのＯＮ信号を有効なものとして処理することを特徴とする請求項１に記載の暖房器具の制御装置。
【請求項３】
前記設定温度変更部は、基準温度よりも低温側で、アップスイッチからのＯＮ信号が第１の受付時間を超えて連続して入力されたときに有効なものとして処理し、また、基準温度よりも高温側では、アップスイッチからのＯＮ信号が前記第１の受付時間よりも長い第２の受付時間を超えて連続入力されたときに有効なものとして処理することを特徴とする請求項２に記載の暖房器具の制御装置。
【請求項４】
前記設定温度変更部は、基準温度よりも高温側で、前記入力条件判定部に、アップスイッチからのＯＦＦ信号が所定時間連続して入力されたときに特別の条件を満たしたものとして処理することを特徴とする請求項１〜３のいずれかに記載の暖房器具の制御装置。
【請求項５】
前記設定温度変更部は、基準温度よりも高温側で、前記入力条件判定部に、前記アップスイッチとは別に設けられた特別スイッチからのＯＮ信号が入力されたときに特別の条件を満たしたものとして処理することを特徴とする請求項１〜３のいずれかに記載の暖房器具の制御装置。
【請求項６】
前記特別スイッチは、温度設定モードの設定及び／又は解除を行うスイッチと兼用することを特徴とする請求項５に記載の暖房器具の制御装置。
【発明の詳細な説明】
【０００１】
【発明の属する技術分野】
本発明は、部屋などの室内を暖房する際に幼児等に対して安全な暖房器具の温度制御装置に関するものである。
【０００２】
この種の暖房器具の温度制御装置と関連して特許文献１には給湯機の湯温設定装置が開示されている。この特許文献１の給湯機の湯温設定装置は、設定温度を上昇させるアップスイッチと、設定温度を降下させるダウンスイッチと、このアップ及びダウンスイッチの押圧に応じて順次設定温度を変更する湯温変更手段と、この設定温度をデジタル表示する湯温表示部とを備え、湯温変更手段には、高温側の所定範囲で上昇方向への設定温度変更を、アップスイッチの一定時間以上の継続押圧でのみ可能とする規制手段を備え、湯温の高温側である５５℃〜７０℃の最高温度までの設定温度範囲では、規制手段によってアップスイッチを一定時間継続して押圧しないと設定温度の変更ができないようにし、不用意に設定温度の変更が行われて火傷などの危険のないようにしている。
【０００３】
【特許文献１】特開平９−３１８１５２号（段落０００４〜０００５参照）
【０００４】
【発明が解決しようとする課題】
ところで、上記特許文献１は、高温側の設定温度範囲では規制手段によってアップスイッチを一定時間継続して押圧しないと設定温度の変更ができないが、その設定温度範囲よりも低温側からアップスイッチを押圧し続けた場合、高温側の設定温度範囲に突入して設定温度の変更が可能となるため、子供がいたずらで不用意に押圧し続ける場合にも設定温度が上昇し続けることになり、安全性の面でまだ完全とは言えないものである。
【０００５】
本発明は、上記に鑑み、基準温度よりも低温側からアップスイッチを押圧し続けても基準温度を超えないようにして、より安全性の高い暖房器具の設定温度制御装置を提供しようとするものである。
【０００６】
【課題を解決するための手段】
上記目的を達成するため、本発明に係る暖房器具の設定温度制御装置は、設定温度を上昇させるアップスイッチと、設定温度を降下させるダウンスイッチと、アップスイッチ及びダウンスイッチからの入力信号に応じて設定温度を変更する暖房器具の設定温度制御装置において、設定温度が予め記憶された基準温度に到達しているか否かを判定する設定温度判定部と、前記アップスイッチなどのスイッチ類からの入力条件を判定する入力条件判定部と、前記設定温度判定部と入力条件判定部との判定結果に基づいて設定温度を変更する設定温度変更部とを備え、設定温度変更部は、基準温度よりも高温側で、前記入力条件判定部に特別の条件が入力されない限り、アップスイッチからのＯＮ信号の入力を無効なものとして処理することを特徴としている。
【０００７】
上記構成によると、基準温度に達するまでアップスイッチを連続的あるいは断続的に入力し続けても、基準温度に達すれば、特別の条件でスイッチ類から入力がない限り、アップスイッチの入力を無効にするため、子供がいたずらで不用意にアップスイッチを押圧し続けても、設定温度が基準温度以上に設定されるのを防止することができ、安全性を確保することができる。
【０００８】
なお、基準温度としては、予め定められた最高設定温度（例えば３０℃）よりも低い温度（例えば２２℃）が例示できるが、これに限定されるものではない。
【０００９】
また、設定温度変更部においては、基準温度よりも高温側で、前記入力条件判定部に特別の条件が入力された後に、基準温度よりも低温側のアップスイッチからのＯＮ信号とは異なる条件でＯＮ信号が入力されたときのみ、アップスイッチからのＯＮ信号を有効なものとして処理することもできる。
【００１０】
この構成によると、特別の条件をクリアした後においても、さらに、アップスイッチからの入力を有効なものとして機能させるために、基準温度到達前のアップスイッチの入力条件と異なる条件を課して、より安全性を確保することができる。
【００１１】
例えば、設定温度変更部は、基準温度よりも低温側で、アップスイッチからのＯＮ信号が第１の受付時間を超えて連続して入力されたときに有効なものとして処理し、また、基準温度よりも高温側で、アップスイッチからのＯＮ信号が前記第１の受付時間よりも長い第２の受付時間を超えて連続して入力されたときに有効なものとして処理することができる。
【００１２】
また、設定温度変更部は、基準温度よりも高温側で、前記入力条件判定部に、アップスイッチからのＯＦＦ信号が所定時間連続して入力されたときに特別の条件を満たしたものとして処理することができる。
【００１３】
この構成によると、アップスイッチを押し続けると、設定温度が上がっていくが、基準温度になった時点でアップスイッチを押し続けても、これを無効として一旦停止する。そして、アップスイッチから指を離して所定時間経過したときに特別の条件をクリアしたものとして、再度押し続けた場合に設定温度を高温側に上げることができるようにしている。従って、より安全性の高い暖房器具を提供することができる。
【００１４】
また、設定温度変更部は、基準温度よりも高温側で、前記入力条件判定部にアップスイッチとは別に設けられた特別スイッチからのＯＮ信号が入力されたときに特別の条件を満たしたものとして処理することもできる。
【００１５】
この構成によると、上記と同様に、アップスイッチを押し続けても基準温度になった時点で一旦停止し、それ以上に上がらないようになり、基準温度以上に設定したい場合には、特別のスイッチを押してはじめて可能となる。そして、アップスイッチを再度押さないと、設定温度を高温側に上げることができなくなる。従って、より安全性の高い暖房器具を提供することができる。
【００１６】
なお、基準温度よりも高温側での温度設定は、特別のスイッチを１回ないし複数回押したときに、有効なものとして、以後アップスイッチからのＯＮ信号を有効なものとして処理するようにしてもよく、また、特別のスイッチを押し続けたときのみ、つまり特別のスイッチからのＯＮ信号が入力されている場合にのみ、アップスイッチからのＯＮ信号を有効なものとして処理するようにしてもよい。
【００１７】
ここで、特別のスイッチは、特に限定されるものではないが、温度設定モードの設定及び／又は解除を行うスイッチと兼用すれば、スイッチ数を低減することができる。
【００１８】
【発明の実施の形態】
以下、本発明に係る暖房器具として、液体燃料燃焼装置を搭載した石油ファンヒータにおける実施形態を図面に基づいて説明する。図１は液体燃料燃焼装置を搭載した石油ファンヒータの正面側斜視図、図２は同じくその側面断面図である。
【００１９】
図１において、１は器具本体、２は温風を案内するルーバが取り付けられた温風吹出口、３は本体の上面前側に配設された操作表示部、４は可変ルーバ、５は本体蓋を兼ね備えた給油タンクである。器具本体１の外装体は、前面を覆う前パネル７と、上面を覆う上面板８と、側面及び背面を覆う背面板９とが置台１０の上に固定して構成されている。
【００２０】
図２において、１１は器具本体の背面側の温風取入口に取り付けられた送風手段としての対流ファン、１２は対流ファンのファンモータ、１３は器具本体１の背面に設けられた空気取入口、１４は燃焼室、１５は燃焼室下方のバーナである。この燃焼室１４およびバーナ１５により温風吹出式暖房器具の発熱部が構成される。この発熱部の暖房能力は図３に示す燃料経路の各構成部材を制御することにより変更される。
【００２１】
図３は燃料経路の概略図である。図３において、５は本体より取外し自在の給油タンク、１９は点火ヒータ、２０はバーナ上方に配置される炎検知手段としてのフレームセンサ、２１は給油タンクの燃料を送るポンプとしての電磁ポンプ、２２は電磁ポンプからの燃料を加熱して気化ガスにする気化器、１５は気化器の気化ガスをノズルから噴出して燃焼空気と混合して燃焼するバーナである。気化器２２には、図示しないが、ノズルを開閉するソレノイドバルブと、気化器を加熱する気化器ヒータが設けられている。
【００２２】
２４は本体に給油タンクを装着したときに給油タンク５と燃焼部とを接続する第１（送油側）の接続手段であり、タンク側接続ジョイント２４ａと、燃焼部側の接続ジョイント受け２４ｂとから構成される。２５は本体に給油タンクを装着したときに、給油タンクと気化器とを接続し未燃焼ガスを給油タンク５に戻すための第２（戻り油側）の接続手段であり、タンク側接続ジョイント２５ａと、燃焼部側の接続ジョイント受け２５ｂとから構成される。
【００２３】
そして、送油側の接続手段２４には経路内に空気を送る空気弁２６が設けられている。この空気弁２６はソレノイドにより開閉駆動される。また、給油タンク５の第１の接続手段２４と電磁ポンプ２１の間は配管２７、電磁ポンプ２１と気化器２２の間は配管２８、気化器２２と第２の接続手段２５の間は戻り油配管２９で接続されている。
【００２４】
上記構成の石油ファンヒータにおいては、給油タンク５に収容された液体燃料は、燃料圧送用の電磁ポンプ２１により送油パイプ２８を経由して気化器２２に導かれ、気化器２２に設けた気化器ヒータ（図示せず）により、送られてきた液体燃料を気化させる。気化器２２により気化された燃料ガスは、ノズルから勢い良く噴射されて燃焼用の空気と共にバーナ１５に導入されて炎口で燃焼し、燃焼室内の空気が加熱される。
【００２５】
そして、図２に示すように、本体背面に設けられたファンモータ１２に取付けた対流ファン１１により、フィルターを介して吸い込んだ室内の空気を燃焼室１４内の加熱された空気や燃焼ガスと共に温風として吹出口２から室内に吹き出すようになっている。
【００２６】
一方、炎口のやや上方に設けたフレームセンサ２０は燃焼炎による炎電流を検知するもので、予め設定した値以上の炎電流を検知すると、ファンモータ１２に通電し、これに伴い対流ファン１１が回転して、室内から吸い込んだ空気を温風として吹出口２から室内に吹き出させる。
【００２７】
このとき、室温サーミスタ（図示略）で室温を検知し、室温と設定温度との温度差に基づいて制御部３０（図５参照）が燃料圧送用の電磁ポンプ２１の駆動を制御することにより、液体燃料の気化器２２への供給量を調節し、バーナ１５での燃焼炎の火力を調節し、暖房能力を制御するようになっている。
【００２８】
例えば、室温の低い時に石油ファンヒータの運転を開始すれば、気化器２２への液体燃料の供給量を多くして室温を急速に設定温度まで上昇させ、その後は液体燃料の供給量を調節して設定温度付近で―定に維持するようにしている。
【００２９】
図４は温度設定などを行う操作表示部の概略図である。操作表示部３は、操作部３ａと表示部３ｂとから構成される。操作部３ａには、運転スイッチ３１、燃焼時間を３時間延長できる延長スイッチ３２、各種モードを選択できる選択スイッチ３３、選択したモードの設定と解除を行う設定・解除スイッチ３４、基準温度解除スイッチ３５、アップスイッチ３６及びダウンスイッチ３７が配置されている。
【００３０】
基準温度解除スイッチ３５は、設定温度を予め記憶された基準温度（例えば、２２℃）よりも上げる場合に押圧する特別のスイッチである。基準温度は、最高設定温度（例えば、３３℃）よりも低い温度としてメーカー側で予め記憶させておく。アップスイッチ３６及びダウンスイッチ３７は、温度やタイマーの設定時に押圧して設定温度や時刻（又は時間）を順次変更するために使用する。
【００３１】
表示部３ｂには、「省エネ」、「小部屋」、「速暖」、「スピード点火」、「タイマー時刻」、「設定」、「温度」および時刻や温度を表示する４桁の数表示部３８が液晶表示され、各種モードの設定により該当する表示が点灯又は点滅するようになっている。
【００３２】
図５は本発明に係る温度設定制御装置の構成ブロック図、図６は温度設定モードにおける制御フローチャートである。なお、図５において本発明と直接関係しない構成部品については図示していない。
【００３３】
制御部３０は、一般的なマイクロコンピュータから構成され、内部にＣＰＵ、ＲＯＭ、ＲＡＭを備え、入力側にアップスイッチ３６、ダウンスイッチ３７及び基準温度解除スイッチ３５などの特別のスイッチが接続されている。そして、制御部３０には、設定温度が予め記憶された基準温度に到達しているか否かを判定する設定温度判定部４１と、アップスイッチなどのスイッチ類３５、３６，３７からの入力条件を判定する入力条件判定部４２と、前記設定温度判定部と入力条件判定部との判定結果に基づいて設定温度を変更する設定温度変更部４３とを備えている。
【００３４】
制御部３０の出力側には、電磁ポンプ２１や対流ファン１１などの各種駆動系４５が接続され、また、設定温度などを表示する操作表示部３が接続されている。
【００３５】
次に、図６の制御フローチャートに基づいて温度設定モードにおける設定温度制御について説明する。なお、図６の制御フローにおいて、「特別の条件」「
所定条件」「異なる条件」のロジックは、スイッチ類からの連続的あるいは断続的な信号によって判断できるものであり、本来は複雑なフローとなるが、本発明の原理を理解しやすくするため簡略化したフローを示す。
【００３６】
図５において、温度設定モードは、選択スイッチ３３を順次押圧することにより各種設定モードから温度設定モードを選択した後、設定・解除スイッチ３４を押圧することでモード設定が完了する。
【００３７】
温度設定モードに突入後、例えば、アップスイッチ３６が押圧されると（Ｓ１０）、その信号が制御部３０に入力され、設定温度判定部４１で現在の設定温度と基準温度とが比較され、現在の設定温度が基準温度を超えているか否かが判断される（Ｓ１１）。
【００３８】
現在の設定温度が基準温度よりも低温側の場合、入力条件判定部において、入力されたアップスイッチ３６のＯＮ信号が所定条件を満たしているか否かが判断される（Ｓ１２）。例えば、アップスイッチ３６のＯＮ信号が第１の受付時間（例えば、１秒）以上連続して押されたか否かが判断される。第１の受付時間以上押されている場合、設定温度変更部ではこの信号を有効なものとして現在設定温度を所定温度（例えば、０．５℃又は１℃）上げるようにし（Ｓ１３）、駆動系にはその指示信号を出力する。
【００３９】
アップスイッチ３６からのＯＮ信号が連続して入力される場合、温度設定モードの先頭に戻り、以上の処理を繰り返して現在設定温度を所定温度上げるようにする。アップスイッチ３６のＯＮ信号が第１の受付時間Ｔ１に満たない場合、不用意に押されたものとして、その入力を無効（Ｓ１４）にして終了する。
【００４０】
現在の設定温度が基準温度以上になった場合、入力条件判定部において、入力されたアップスイッチ３６等のＯＮ信号が特別の条件を満たしているか否かが判断される（Ｓ１５）。例えば、アップスイッチ３６とは別に設けられた基準温度解除スイッチ３５からのＯＮ信号が入力されたときに特別の条件を満たしたものとして処理することができる。
【００４１】
また、別の態様として、アップスイッチからのＯＦＦ信号が所定時間連続して入力されたとき、例えば、アップスイッチ３６を連続的に押圧して基準温度に達した場合、一旦アップスイッチ３６から指を離して、所定時間ＯＦＦさせたときに、特別の条件を満たしたものとして処理することができる。
【００４２】
このような特別の条件を満たさない限り、基準温度以上での温度設定をできないようにし、不用意に設定温度を上げるのを防止する。特別の条件を満たした場合、次に、アップスイッチ３６から入力されたＯＮ信号が異なる条件を満たしているか否かが判断される（Ｓ１６）。例えば、基準温度より低温側では、アップスイッチ３６からのＯＮ信号が第１の受付時間Ｔ１（例えば、１秒）を超えて連続して入力されたときに有効なものとして、現在の設定温度を所定温度だけ上げる処理を行うが、基準温度よりも高温側では、アップスイッチ３６からのＯＮ信号が第１の受付時間Ｔ１よりも長い第２の受付時間Ｔ２（例えば、３秒）を超えて連続入力されたときに、はじめて有効なものとして現在の設定温度を所定温度上げる処理を行う（Ｓ１７）。
【００４３】
この場合、基準温度よりも高温側での温度設定は、特別のスイッチを１回ないし複数回押したときに、有効なものとして、以後アップスイッチからのＯＮ信号を有効なものとして処理するようにしてもよく、また、特別のスイッチを押し続けたときのみ、つまり特別のスイッチからのＯＮ信号が入力されている場合にのみ、アップスイッチからのＯＮ信号を有効なものとして処理するようにしてもよい。
【００４４】
また、ステップＳ１５及びＳ１６で特別の条件あるいは異なる条件を満たさない場合には、これらの信号を無効（Ｓ１８）にして終了する。
【００４５】
このように、本実施形態においては、基準温度よりも高温側で設定温度を上げようとする場合、特別の条件が入力されない限り、また、基準温度よりも低温側の条件とは異なる条件の入力がない限り設定することができないので、不用意に設定温度を上げることができず、より安全性の高い設定温度制御装置を提供することができる。
【００４６】
なお、本発明は、上記実施形態に限定されるものではなく、本発明の範囲内で修正・変更を加えることができるのは勿論である。例えば、上記実施形態では、気化式液体燃料燃焼装置を搭載して石油ファンヒータについて例示したが、その他の方式の石油ファンヒータのみならず、他の暖房器具においても本発明を適用することができるのは勿論である。また、特別のスイッチとして、温度設定モードの設定及び／又は解除を行うスイッチと兼用することもできる。
【００４７】
【発明の効果】
以上の説明から明らかな通り、本発明によると、基準温度に達するまでアップスイッチを連続的あるいは断続的に入力し続けても基準温度に達すれば、特別の条件でスイッチ類から入力がない限り、アップスイッチの入力を無効にするため、子供がいたずらで不用意にアップスイッチを押圧し続けても、設定温度が基準温度以上に設定されるのを防止することができ、安全性を確保することができる。
【図面の簡単な説明】
【図１】本発明の一実施形態である液体燃料燃焼装置を搭載した石油ファンヒータの正面側斜視図
【図２】図１の側面断面図
【図３】図１の燃料経路の概略図
【図４】図１の操作表示部の概略図
【図５】図１の温度設定制御装置の構成ブロック図
【図６】温度設定モードにおける概略制御フローチャート
【符号の説明】
１    器具本体
２    温風吹出口
３    操作表示部
４    可変ルーバ
５    給油タンク
１１    対流ファン
１２    ファンモータ
１３    温風取入口
１４    燃焼室
１５    バーナ
１９    点火ヒータ
２０    フレームセンサ（炎検知手段）
２１    電磁ポンプ（送油ポンプ）
２２    気化器
２４    第１の接続手段
２５    第２の接続手段
３０    制御部
３３    選択スイッチ
３４    設定・解除スイッチ
３５    基準温度解除スイッチ
３６    アップスイッチ
３７    ダウンスイッチ
４１    設定温度判定部
４２    入力条件判定部
４３    設定温度変更部
【図１】
2004271040.tif 000003
【図２】
2004271040.tif 000004
【図３】
2004271040.tif 000005
【図４】
2004271040.tif 000006
【図５】
2004271040.tif 000007
【図６】
2004271040.tif 000008